(57)【特許請求の範囲】
【請求項１】
異なる極性の複数の電極が互いに絶縁されて積層された状態の電極組立体と、
前記電極組立体を収容したケースと、
前記ケースの壁部から前記電極組立体に向けて突出した基部を備え、前記壁部に固定された一対の電極端子と、
同じ極性の前記電極と接合された電極接合部、及び前記電極端子の基部と電気的に接続された端子接続部を備え、前記ケースの壁部と該壁部に対峙した前記電極組立体の端面との間に配置された一対の導電部材と、
前記壁部と前記端子接続部との間に介在する絶縁部材と、
一対の前記電極接合部と前記壁部との間に介在する第１絶縁部を有するとともに、前記基部と前記電極組立体の端面との間に介在する第２絶縁部を有する絶縁カバーと、を備え、
前記絶縁カバーにおいて、前記一対の導電部材の並んだ並設方向に沿う方向を長手方向、該長手方向に直交する方向を短手方向とすると、
前記絶縁カバーは、前記長手方向に沿う側面視で前記第１絶縁部と前記第２絶縁部を離し、かつ対向させて連結する連結部を前記短手方向の一端部に備えるとともに、
前記側面視で対向した前記第１絶縁部と前記第２絶縁部の間に、前記短手方向の他端部に開口し、前記連結部に至る隙間を備えることを特徴とする蓄電装置。
【請求項２】
前記絶縁カバーは、前記短手方向の他端部で前記連結部の反対側となる位置に、前記側面視で前記第２絶縁部から前記第１絶縁部に向けて突出し、かつ前記導電部材又は前記絶縁部材に係止する係止爪を備える請求項１に記載の蓄電装置。
【請求項３】
前記ケースの内部圧力が設定圧力に達すると一方の極性の前記電極端子と前記電極組立体との電気的な通電経路を遮断する電流遮断機構を備え、前記電流遮断機構は、前記基部と前記端子接続部とを導通させ、前記一方の極性側では前記係止爪は前記導電部材の前記電極接合部に係止している請求項２に記載の蓄電装置。
【請求項４】
前記電流遮断機構を備えない他方の極性側では、前記係止爪は、前記絶縁部材に係止している請求項３に記載の蓄電装置。
【請求項５】
前記蓄電装置は二次電池である請求項１〜請求項４のうちいずれか一項に記載の蓄電装置。
【発明の詳細な説明】
【技術分野】
【０００１】
本発明は、絶縁カバーを有する蓄電装置に関する。
【背景技術】
【０００２】
従来から、ＥＶ（Electric Vehicle）やＰＨＶ（Plug in Hybrid Vehicle）などの車両には、電動機などへの供給電力を蓄える蓄電装置としてリチウムイオン二次電池やニッケル水素二次電池などが搭載されている。一般的に、二次電池は、活物質層を有する正極電極及び負極電極が層状に重なった電極組立体と、該電極組立体を収容するケースとを備えている。ケースとしては、電極組立体を挿入するための開口部を有するケース部材と、ケース部材の開口部を閉塞する蓋部材とを有するものがある。正極電極及び負極電極には導電部材を介して各極の電極端子が電気的に接続されている。
【０００３】
このような二次電池の組立方法の一つに、蓋部材、導電部材、及び電極端子をユニット化した蓋端子組立体を予め組み立ておき、その蓋端子組立体と電極組立体を一体化した後に、電極組立体をケース部材内に挿入して、蓋をケース部材に固定する方法がある（例えば、特許文献１参照）。
【０００４】
図９に示すように、特許文献１の電池は、電池ケース１００の上部開口部に電池蓋ユニット１０１が固定された構成である。電池蓋ユニット１０１は、蓋板１０２の中央部にかしめによって固定された電極端子としての端子１０３を備えるとともに、蓋板１０２の外側で端子１０３に一体化された端子板１０４を備える。また、電池蓋ユニット１０１は、蓋板１０２の外側で端子１０３と蓋板１０２とを絶縁するパッキン１０７を備える。さらに、電池蓋ユニット１０１は、電池ケース１００内に配置された導電部材としての集電用ワッシャ１０５を備え、この集電用ワッシャ１０５は、電池ケース１００内で端子１０３と電気的に接続されている。また、電池ケース１００内において、集電用ワッシャ１０５は、絶縁カバーとしてのパッキン１０６によって蓋板１０２から絶縁されている。なお、集電用ワッシャ１０５は、水平板部１０５ａと、水平板部１０５ａの長縁部から突出した垂直板部１０５ｂを備え、垂直板部１０５ｂは、蓋板１０２から電池ケース１００内に向けて突出した形状である。垂直板部１０５ｂには、正極集電体が接合され、集電用ワッシャ１０５と正極集電体が電気的に接続されている。
【０００５】
そして、特許文献１の電池の組み立ては、まず、電池蓋ユニット１０１を組み立て、次に、その電池蓋ユニット１０１の集電用ワッシャ１０５の垂直板部１０５ｂに正極集電体を溶接により接合する。その後、正極集電体を電池ケース１００内に収容し、電池蓋ユニット１０１を電池ケース１００に接合することで、電池の組み立てが完了する。なお、特許文献１の電池は、電池ケース１００が負極出力端子となり、電池蓋ユニット１０１における端子１０３及び端子板１０４が正極出力端子となる。
【先行技術文献】
【特許文献】
【０００６】
【特許文献１】特開平９−１４７８３２号公報
【発明の概要】
【発明が解決しようとする課題】
【０００７】
ところで、特許文献１の電池では、電池蓋ユニット１０１の集電用ワッシャ１０５に正極集電体を接合する際、溶接によって発生する熱により、パッキン１０６が溶融してしまう虞がある。
【０００８】
本発明は、導電部材と電極を溶接する際の熱の影響が絶縁カバーに及ぶことを無くすことができる。
【課題を解決するための手段】
【０００９】
上記問題点を解決するための蓄電装置は、異なる極性の複数の電極が互いに絶縁されて積層された状態の電極組立体と、前記電極組立体を収容したケースと、前記ケースの壁部から前記電極組立体に向けて突出した基部を備え、前記壁部に固定された一対の電極端子と、同じ極性の前記電極と接合された電極接合部、及び前記電極端子の基部と電気的に接続された端子接続部を備え、前記ケースの壁部と該壁部に対峙した前記電極組立体の端面との間に配置された一対の導電部材と、前記壁部と前記端子接続部との間に介在する絶縁部材と、一対の前記電極接合部と前記壁部との間に介在する第１絶縁部を有するとともに、前記基部と前記電極組立体の端面との間に介在する第２絶縁部を有する絶縁カバーと、を備え、前記絶縁カバーにおいて、前記一対の導電部材の並んだ並設方向に沿う方向を長手方向、該長手方向に直交する方向を短手方向とすると、前記絶縁カバーは、前記長手方向に沿う側面視で前記第１絶縁部と前記第２絶縁部を離し、かつ対向させて連結する連結部を前記短手方向の一端部に備えるとともに、前記側面視で対向した前記第１絶縁部と前記第２絶縁部の間に、前記短手方向の他端部に開口し、前記連結部に至る隙間を備えることを要旨とする。
【００１０】
これによれば、蓋部材に導電部材、絶縁部材、電極端子が一体に組み付けられ、しかも、電極接合部に電極が接合された状態で、絶縁カバーの隙間の開口を一対の導電部材に向けた状態で、絶縁カバーを短手方向に沿って移動させる。すると、隙間に一対の導電部材が入り込みながら、一対の電極接合部と壁部との間に第１絶縁部が差し込まれる。その結果、壁部と電極接合部を絶縁可能な位置に第１絶縁部が配置されると同時に、電極端子と電極組立体を絶縁可能な位置に第２絶縁部が配置される。
【００１１】
よって、蓋部材に導電部材が予め一体化され、その導電部材に電極が接合された状態であっても、絶縁カバーを配置することができ、導電部材と電極を溶接する際の熱の影響が絶縁カバーに及ばない。
【００１２】
また、蓄電装置について、前記絶縁カバーは、前記短手方向の他端部で前記連結部の反対側となる位置に、前記側面視で前記第２絶縁部から前記第１絶縁部に向けて突出し、かつ前記導電部材又は前記絶縁部材に係止する係止爪を備えていてもよい。
【００１３】
これによれば、絶縁カバーを配置し、短手方向の一端部側で連結部を導電部材又は絶縁部材に当接させると、短手方向の他端部側で係止爪が導電部材又は絶縁部材に係止する。すると、絶縁カバーが、その短手方向へ移動することが規制される。
【００１４】
また、蓄電装置について、前記ケースの内部圧力が設定圧力に達すると一方の極性の前記電極端子と前記電極組立体との電気的な通電経路を遮断する電流遮断機構を備え、前記電流遮断機構は、前記基部と前記端子接続部とを導通させ、前記一方の極性側では前記係止爪は前記導電部材の前記電極接合部に係止していてもよい。
【００１５】
これによれば、電流遮断機構は、電極端子の基部よりも絶縁カバーの短手方向に沿う寸法が大きくなりやすく、この電流遮断機構を備える基部を壁部から絶縁するため、絶縁部材も、絶縁カバーの短手方向に沿う寸法が大きくなり、端子接続部も大きくなる。このため、一方の電極端子側の絶縁部材は、他方の電極端子側の絶縁部材と比べて大きくなり、一方の電極端子側の絶縁部材に係止爪を係止させると、絶縁カバーが短手方向に大型化する。そこで、一方の電極端子側では、絶縁部材、及び大型化した端子接続部ではなく、電極接合部に係止爪を係止させることで、短手方向への絶縁カバーの大型化を回避することができる。
【００１６】
また、蓄電装置について、前記電流遮断機構を備えない他方の極性側では、前記係止爪は、前記絶縁部材に係止していてもよい。
これによれば、絶縁部材は、壁部と端子接続部とを絶縁するために、該端子接続部より大きく製造される。ただし、電流遮断機構や、一方の電極端子側の絶縁部材よりは小さい。よって、絶縁カバーをスライドさせた際、係止爪は、端子接続部よりも先に絶縁部材に係止し、絶縁カバーの装着がスムーズになる。
【００１７】
蓄電装置は二次電池である。
【発明の効果】
【００１８】
本発明によれば、導電部材と電極を溶接する際の熱の影響が絶縁カバーに及ぶことを無くすことができる。
【図面の簡単な説明】
【００１９】
【図１】実施形態の二次電池を示す斜視図。
【図２】実施形態の二次電池を示す部分破断正面図。
【図３】実施形態の二次電池を示す分解斜視図。
【図４】実施形態の二次電池を示す部分断面図。
【図５】絶縁カバーを示す斜視図。
【図６】（ａ）は絶縁カバーの装着状態を示す図４の６ａ−６ａ線断面図、（ｂ）は絶縁カバーの装着状態を示す図４の６ｂ−６ｂ線断面図。
【図７】絶縁カバーの装着を示す斜視図。
【図８】外部接続端子付近を示す断面図。
【図９】背景技術を示す図。
【発明を実施するための形態】
【００２０】
以下、蓄電装置を二次電池に具体化した一実施形態を図１〜図８にしたがって説明する。
図１又は図３に示すように、蓄電装置としての二次電池１０はケース１１を備え、ケース１１には電極組立体１２が収容されている。ケース１１は、四角箱状のケース部材１４と、このケース部材１４の開口部１４ａを閉塞する矩形平板状の壁部としての蓋部材１５とを有している。なお、本実施形態の二次電池１０はリチウムイオン電池である。
【００２１】
電極組立体１２は、シート状の複数の正極電極２１とシート状の複数の負極電極３１とを備え、正極電極２１と負極電極３１とは異なる極性の電極である。詳細に図示しないが、正極電極２１は、正極金属箔（本実施形態ではアルミニウム箔）と、その正極金属箔の両面に存在する正極活物質層とを有する。負極電極３１は、負極金属箔（本実施形態では銅箔）と、その負極金属箔の両面に存在する負極活物質層とを有する。そして、電極組立体１２は、複数の正極電極２１と複数の負極電極３１の間にこれらを絶縁するセパレータ２４を介在させて層状とした積層型である。
【００２２】
正極電極２１は、正極電極２１の一辺２１ａの一部から突出した形状のタブ２５を有する。負極電極３１は、負極電極３１の一辺３１ａの一部から突出した形状のタブ３５を有する。複数の正極のタブ２５、及び複数の負極のタブ３５は、正極電極２１及び負極電極３１が積層された状態で、正極のタブ２５と負極のタブ３５とが重ならない位置にそれぞれ設けられている。電極組立体１２は、正極電極２１の一辺２１ａ、負極電極３１の一辺３１ａ、及びセパレータ２４の一辺を寄せ集めて形成されたタブ側端面１２ｂを有する。電極組立体１２を構成する各正極電極２１は、それぞれのタブ２５が積層方向に沿って列状に配置されるように積層される。同様に、電極組立体１２を構成する各負極電極３１は、それぞれのタブ３５が積層方向に沿って列状に配置されるように積層される。
【００２３】
二次電池１０は、タブ側端面１２ｂから突出した正極のタブ群３６を有し、このタブ群３６は、全ての正極のタブ２５を電極組立体１２における積層方向の一端側に寄せ集め、積層して構成されている。また、二次電池１０は、タブ側端面１２ｂから突出した負極のタブ群３６を有し、このタブ群３６は、全ての負極のタブ３５を電極組立体１２における積層方向の一端側に寄せ集め、積層して構成されている。そして、二次電池１０では、ケース１１に収容された各タブ群３６、及び電極組立体１２のタブ側端面１２ｂに対し、ケース１１の壁部としての蓋部材１５の内面１５ｄが対峙している。蓋部材１５の内面１５ｄと、電極組立体１２のタブ側端面１２ｂとを最短距離で結ぶ方向を対向方向Ｚとする。
【００２４】
図３又は図４に示すように、正極のタブ群３６には、電極組立体１２と、後述の正極端子構造１６とを電気的に接続するための正極導電部材５１が接合されている。また、負極のタブ群３６には、電極組立体１２と、後述の負極端子構造１７とを電気的に接続するための負極導電部材５２が接合されている。蓋部材１５の内面１５ｄと電極組立体１２のタブ側端面１２ｂとの間には、正極導電部材５１及び負極導電部材５２が配置されている。
【００２５】
正極導電部材５１は、タブ群３６と接合されたコ字状の電極接合部５１ａを長手方向一端側に備える。また、正極導電部材５１は、後述の正極引出端子６０と接続される平板状の端子接続部５１ｂを長手方向他端側に備え、電極接合部５１ａと端子接続部５１ｂは長手方向に連続している。また、正極導電部材５１は、挿通孔５１ｃを端子接続部５１ｂに備える。
【００２６】
負極導電部材５２は、タブ群３６と電気的に接合されたコ字状の電極接合部５２ａを長手方向一端側に備える。また、負極導電部材５２は、後述の負極引出端子６１と電気的に接合された端子接続部５２ｂを長手方向他端側に備え、電極接合部５２ａと端子接続部５２ｂは長手方向に連続している。電極接合部５２ａは、端子接続部５２ｂと較べると、負極導電部材５２の短手方向に沿う寸法が小さい形状であり、蓋部材１５の短手方向に沿う寸法より小さい。また、端子接続部５２ｂは、蓋部材１５の短手方向の全体に亘る寸法である。
【００２７】
次に、正極端子構造１６及び負極端子構造１７を説明する。なお、正極端子構造１６と負極端子構造１７は、電流遮断機構を除いて基本的に同じ構成であるため、共通の部材については、同じ部材番号を使用して説明する。
【００２８】
まず、正極端子構造１６及び負極端子構造１７を設けるための蓋部材１５の構成について説明する。蓋部材１５は、ケース１１の外側に臨む外面１５ｃ及びケース１１の内側に臨む内面１５ｄを有し、蓋部材１５において、外面１５ｃと内面１５ｄを最短距離で結ぶ方向を厚み方向とする。
【００２９】
蓋部材１５は、長手方向における両側に係止凹部１８を備える。各係止凹部１８は、外面１５ｃから厚み方向に沿って凹んだ形状である。蓋部材１５を外面１５ｃから見て、係止凹部１８の外形は四角形状である。蓋部材１５は、内面１５ｄから突出した突部１９を備える。突部１９は、係止凹部１８を凹ませることで内面１５ｄから突出した形状となっており、突部１９の外形は四角形状である。蓋部材１５は、長手方向における各係止凹部１８より外側に挿通孔１５ｅを備える。
【００３０】
正極端子構造１６及び負極端子構造１７は、蓋部材１５の外面１５ｃに配置された外側絶縁部材５７を備える。この外側絶縁部材５７は、正極の外部接続端子６６及び正極引出端子６０と、蓋部材１５とを絶縁し、負極の外部接続端子６６及び負極引出端子６１と、蓋部材１５とを絶縁する。外側絶縁部材５７は合成樹脂製である。外側絶縁部材５７は、蓋部材１５の外面１５ｃから見て矩形状である。外側絶縁部材５７の表面５７ｃと裏面５７ａとを結ぶ方向を厚み方向とする。
【００３１】
外側絶縁部材５７は、長手方向の一端寄りに、裏面５７ａから厚み方向に突出した回り止め部５８を備える。回り止め部５８は、表面５７ｃから裏面５７ａに向けて四角形状に突出した形状である。回り止め部５８の四つの外側面を結んで形成される四角形状は、蓋部材１５の係止凹部１８の四つの内側面を結んで形成される四角形状と相似である。そして、外側絶縁部材５７は、回り止め部５８が係止凹部１８に挿入された状態で蓋部材１５に設置されている。回り止め部５８の四つの外側面は、係止凹部１８の四つの内側面に接触している。この接触により、外側絶縁部材５７は、蓋部材１５の外面１５ｃに沿う方向への移動が規制され、特に、外面１５ｃ上での回転が規制されている。外側絶縁部材５７は、長手方向の他端寄りに挿通孔５７ｄを備える。挿通孔５７ｄは、蓋部材１５の挿通孔１５ｅと一致した位置にある。
【００３２】
正極端子構造１６及び負極端子構造１７は、蓋部材１５の外側に配置された外部接続端子６６を備え、この外部接続端子６６は蓋部材１５の外側で、二次電池１０同士を電気的に接続するバスバーを固定可能とする。外部接続端子６６は金属製である。この外部接続端子６６は、角柱状のボルト頭部６７と、外部接続端子６６の軸方向に沿ってボルト頭部６７の一端面から突出した形状の軸部６８と、ボルト頭部６７の他端面から突出した形状の係合凸部６９とを、備える。軸部６８には、バスバー締結用のナットが螺合可能である。
【００３３】
係合凸部６９は軸方向に見て四角形状である。係合凸部６９の四つの外側面を結んで形成される四角形状は、外側絶縁部材５７の回り止め部５８の四つの内側面を結んで形成される四角形状と相似である。そして、外部接続端子６６の係合凸部６９は、外側絶縁部材５７の回り止め部５８内に挿入されている。係合凸部６９の四つの外側面は、回り止め部５８の四つの内側面に接触し、係止している。この接触により、外部接続端子６６は、外側絶縁部材５７の表面５７ｃに沿う方向への移動が規制され、特に、外側絶縁部材５７の表面５７ｃでの回転が規制されている。
【００３４】
正極端子構造１６は、電極組立体１２の正極のタブ群３６と正極導電部材５１を介して電気的に接続された電極端子としての正極引出端子６０を備える。負極端子構造１７は、電極組立体１２の負極のタブ群３６と負極導電部材５２を介して電気的に接続された電極端子としての負極引出端子６１を備える。
【００３５】
正極引出端子６０は、後述の端子接続部材４４と電気的に接続される接続用軸部６０ａと、正極導電部材５１の端子接続部５１ｂと電気的に接続される基部６０ｂとを軸方向に連続して備える。なお、端子接続部材４４は、長手方向の一端側に、外部接続端子６６と接続される接続片４６を備え、長手方向の他端側に固定片４７を備える。端子接続部材４４は、接続片４６を厚み方向に貫通する貫通孔４６ａを備え、この貫通孔４６ａには外部接続端子６６の軸部６８が挿通されている。また、端子接続部材４４は、固定片４７を厚み方向に貫通する挿通孔４７ａを備える。
【００３６】
そして、正極引出端子６０の基部６０ｂは、蓋部材１５の内面１５ｄからケース１１内に突出して配置されているとともに、接続用軸部６０ａは、正極導電部材５１の挿通孔５１ｃ、後述する内側絶縁部材４０の挿通孔４０ａ、蓋部材１５の挿通孔１５ｅ、外側絶縁部材５７の挿通孔５７ｄ及び端子接続部材４４の挿通孔４７ａを貫通している。
【００３７】
正極端子構造１６は、Ｏリング７３を有し、このＯリング７３には、正極引出端子６０の接続用軸部６０ａが挿通され、かつ正極導電部材５１の端子接続部５１ｂに支持されている。また、正極端子構造１６は、接続用軸部６０ａが挿通された前述の内側絶縁部材４０を有する。内側絶縁部材４０は、四角板状である。
【００３８】
図６（ｂ）に示すように、絶縁カバー９０の短手方向に沿う内側絶縁部材４０の寸法は、同じく短手方向に沿う正極導電部材５１の寸法より大きい。このため、内側絶縁部材４０は、絶縁カバー９０の短手方向に沿って正極導電部材５１よりも突出している。
【００３９】
図３に示すように、内側絶縁部材４０の内側には、端子接続部５１ｂに支持されたＯリング７３が配置されている。そして、内側絶縁部材４０は、蓋部材１５と、端子接続部５１ｂとの間に介在し、蓋部材１５と端子接続部５１ｂの接触を規制するとともに、蓋部材１５と正極導電部材５１とを絶縁する。
【００４０】
端子接続部材４４の挿通孔４７ａを貫通した接続用軸部６０ａの先端部が軸方向にかしめられることにより、接続用軸部６０ａと基部６０ｂによって、正極導電部材５１、内側絶縁部材４０、蓋部材１５、外側絶縁部材５７、及び端子接続部材４４の固定片４７が挟持されている。この挟持により、正極引出端子６０が蓋部材１５に固定されている。Ｏリング７３は、蓋部材１５の内面１５ｄのうち挿通孔１５ｅの周囲に密接し、蓋部材１５の挿通孔１５ｅをシールしている。
【００４１】
また、正極引出端子６０の接続用軸部６０ａの先端部は、端子接続部材４４における固定片４７の表面に係止するとともに、この係止によって正極引出端子６０と端子接続部材４４が電気的に接続されている。また、正極引出端子６０の基部６０ｂは、正極導電部材５１の端子接続部５１ｂに接触し、この接触によって、正極引出端子６０と正極導電部材５１が電気的に接続されている。
【００４２】
負極端子構造１７において、負極引出端子６１は、負極の端子接続部材４４と電気的に接続される接続用軸部６２と、負極導電部材５２の端子接続部５２ｂと電気的に接続される基部６３とを軸方向に連続して備える。負極引出端子６１の接続用軸部６２は、内側絶縁部材４０の挿通孔４０ａ、蓋部材１５の挿通孔１５ｅ、外側絶縁部材５７の挿通孔５７ｄ及び端子接続部材４４の挿通孔４７ａに挿通されている。
【００４３】
負極引出端子６１の基部６３は、四角板状である。基部６３は、正極側の基部６０ｂよりもサイズが大きい。基部６３の外形形状は、負極引出端子６１を軸方向から見て四角形状である。負極引出端子６１は、軸方向に貫通する軸孔６４を備え、軸孔６４は、接続用軸部６２及び基部６３を貫通している。また、負極引出端子６１は、その基部６３における電極組立体１２のタブ側端面１２ｂに対峙する端面に端子端面６３ｂを備えるとともに、端子端面６３ｂよりも接続用軸部６２に向けて凹む凹部６３ｃを備える。凹部６３ｃは、軸孔６４に連通している。また、端子端面６３ｂは、凹部６３ｃを取り囲む環状である。
【００４４】
負極端子構造１７は、Ｏリング７３を有し、このＯリング７３には接続用軸部６２が挿通され、かつ基部６３に支持されている。負極端子構造１７は、接続用軸部６２が挿通された筒状の内側絶縁部材４０を有する。内側絶縁部材４０の内側には、基部６３に支持されたＯリング７３が配置されている。そして、内側絶縁部材４０は、蓋部材１５と、負極引出端子６１の基部６３との間に介在し、蓋部材１５と基部６３との接触を規制するとともに、蓋部材１５と負極引出端子６１とを絶縁する。また、負極の内側絶縁部材４０は、基部６３の外周面を覆い、ケース１１から負極引出端子６１を絶縁する。
【００４５】
負極端子構造１７において、端子接続部材４４の挿通孔４７ａを貫通した接続用軸部６２の先端部が軸方向にかしめられることにより、接続用軸部６２と基部６３によって、内側絶縁部材４０、蓋部材１５、外側絶縁部材５７、及び端子接続部材４４が挟持されている。この挟持により、負極引出端子６１が蓋部材１５に固定されている。Ｏリング７３は、蓋部材１５の内面１５ｄのうち挿通孔１５ｅの周囲に密接し、蓋部材１５の挿通孔１５ｅをシールしている。
【００４６】
また、負極引出端子６１の接続用軸部６２の先端部は、端子接続部材４４における固定片４７の表面に係止するとともに、この係止によって負極引出端子６１と端子接続部材４４が電気的に接続されている。
【００４７】
二次電池１０は、一方の電極端子である負極引出端子６１に一体の電流遮断機構８０を備える。電流遮断機構８０は、ケース１１の内部に配置されており、ケース１１の内部圧力が所定の設定圧力に達すると、電極組立体１２と、負極引出端子６１とを電気的に接続している通電経路の電流を遮断する。電流遮断機構８０は、負極引出端子６１の基部６３と、負極導電部材５２の端子接続部５２ｂの接続部に位置している。
【００４８】
この実施形態では、負極引出端子６１の基部６３が電流遮断機構８０を介して負極導電部材５２に電気的に接続されるとともに、負極導電部材５２が負極のタブ群３６に電気的に接続されることにより、電極組立体１２と、負極引出端子６１との間の通電経路が構成されている。
【００４９】
電流遮断機構８０は、ケース１１の内部に発生したガスによって作動すると、負極引出端子６１の基部６３と負極導電部材５２との電気的な接続を遮断する。つまり、電流遮断機構８０は、作動していないときには上記通電経路の一部を構成し、ケース１１の内部に発生したガスの圧力を受けて作動したときに上記通電経路を遮断する。
【００５０】
電流遮断機構８０は、負極導電部材５２と基部６３とに接合された接点板８１を有する。接点板８１は、導電性の材料製であり、電極組立体１２に向けて凸となる碗状である。そして、接点板８１は、基部６３の凹部６３ｃを電極組立体１２側から覆っている。接点板８１における凹部６３ｃからはみ出している外周部と、基部６３の端子端面６３ｂとは、溶接により固定されている。
【００５１】
接点板８１における凹部６３ｃと対向する部分は、通常状態において電極組立体１２（下方）に向けて凸となっており、この電極組立体１２に向けて凸となった部分と、負極導電部材５２の端子接続部５２ｂとが溶接されている。接点板８１と端子接続部５２ｂとの溶接部分である負極溶接部分Ｐを、負極引出端子６１と負極導電部材５２とを導通する導通部とする。よって、負極導電部材５２と負極引出端子６１とは、接点板８１を介して電気的に接続されている。電流遮断機構８０は、基部６３と負極導電部材５２との間に配置された絶縁リング８２、及び絶縁リング８２の外周側に配置されたシールリング８３を有する。
【００５２】
負極導電部材５２は、端子接続部５２ｂの電極組立体１２側の面に変形用凹部５３ａを有する。変形用凹部５３ａは、電極組立体１２から蓋部材１５に向けてすり鉢状に凹んでいる。変形用凹部５３ａの底面に負極溶接部分Ｐが位置している。端子接続部５２ｂは、変形用凹部５３ａの底面となる部位に図示しない破断溝を有する。破断溝は負極溶接部分Ｐを取り囲む円環状である。
【００５３】
電流遮断機構８０は、ケース１１の内部圧力を受圧して変形する変形板８５を有する。変形板８５は、弾性材料、例えば金属板で構成されたダイヤフラムであり、端子接続部５２ｂより電極組立体１２に近い位置に配置されている。変形板８５は、円板形状であって変形用凹部５３ａを電極組立体１２側から覆っている。変形板８５の外周部と端子接続部５２ｂとが変形板８５の外周部の全周にわたって溶接固定されている。変形板８５は、ケース１１内部をケース１１外部に対して気密に隔てている。
【００５４】
変形板８５は、通常状態において蓋部材１５側から電極組立体１２側（下方）に向けて凸となっており、この凸部分における負極溶接部分Ｐと対向する箇所には、蓋部材１５に向けて突出した突起８５ａを有する。突起８５ａは、絶縁性の材料により構成されており、破断溝で囲まれた負極溶接部分Ｐと対向している。
【００５５】
変形板８５の一方の面（蓋部材１５側の面）には、負極引出端子６１の軸孔６４を介してケース１１の外部圧力（略大気圧）が作用している。また、変形板８５の他方の面（電極組立体１２側の面）には、ケース１１の内部圧力が作用している。そして、変形板８５は、その電極組立体１２側の面に、設定圧力よりも大きい内部圧力が付与された場合に、圧力によって変形して蓋部材１５に向けて凸となるように構成されている。
【００５６】
そして、上記構成の電流遮断機構８０においては、ケース１１の内部圧力が所定の設定圧力に達すると、変形板８５が蓋部材１５に向けて変形し、突起８５ａが、端子接続部５２ｂと接点板８１との負極溶接部分Ｐを破断する。その結果、負極引出端子６１と負極導電部材５２との電気的な接続が遮断され、上記通電経路の電流が遮断される。
【００５７】
次に、ケース１１内の絶縁カバー９０について説明する。
図４に示すように、絶縁カバー９０は、電極接合部５１ａ，５２ａと蓋部材１５との間に介在し、両者を絶縁する第１絶縁部９１を含む。また、絶縁カバー９０は、電流遮断機構８０を含む負極引出端子６１の基部６３と電極組立体１２のタブ側端面１２ｂとの間に介在する第２絶縁部としての負極絶縁部９３と、正極引出端子６０の基部６０ｂと電極組立体１２のタブ側端面１２ｂとの間に介在する第２絶縁部としての正極絶縁部９２とを備える。
【００５８】
ここで、絶縁カバー９０において、正極導電部材５１と負極導電部材５２が並ぶ並設方向に沿う方向を長手方向とし、第１絶縁部９１の外面に沿い、かつ長手方向に直交する方向を短手方向とする。この場合、図５の斜視図から分かるように、絶縁カバー９０は、長手方向に沿う側面視がコ字状である。
【００５９】
図５に示すように、正極絶縁部９２は、矩形状の第１絶縁部９１の長手方向の一端部に一体であり、負極絶縁部９３は、第１絶縁部９１の長手方向の他端部に一体である。第１絶縁部９１は、長手方向に沿って見た側面視でＬ字状であり、矩形板状の絶縁部本体９１ａと、絶縁部本体９１ａの一つの長縁部から電極組立体１２に向けて突出した形状の側壁部９１ｂを備える。
【００６０】
図４に示すように、並設方向に沿って一対の内側絶縁部材４０の対向面同士を結ぶ直線の寸法を寸法Ｎとする。絶縁カバー９０において、第１絶縁部９１の長手方向への寸法は、上記寸法Ｎより僅かに短い。このため、第１絶縁部９１の長手方向の両端面のうち、一端面は正極の内側絶縁部材４０の内側面に当接可能であり、他端面は負極の内側絶縁部材４０の内側面に当接可能な位置にある。図６（ａ）に示すように、第１絶縁部９１の短手方向への寸法は、電極接合部５１ａ，５２ａの短手方向への寸法より若干長い。
【００６１】
そして、図４に示すように、第１絶縁部９１の絶縁部本体９１ａは、対向方向Ｚにおける正極及び負極の電極接合部５１ａ，５２ａと蓋部材１５との間に介在し、電極接合部５１ａ，５２ａと蓋部材１５とを絶縁する。また、第１絶縁部９１の側壁部９１ｂは、各タブ群３６とケース部材１４の長側壁の内面との間に介在し、各タブ群３６とケース部材１４とを絶縁する。
【００６２】
絶縁カバー９０は、絶縁部本体９１ａの長手方向両端部に収容凹部９１ｆを備える。収容凹部９１ｆは、絶縁部本体９１ａの外面９１ｃから電極組立体１２に向けて四角形状に凹む形状である。そして、各収容凹部９１ｆには、蓋部材１５の突部１９が入り込んでおり、突部１９の外側面と収容凹部９１ｆの内側面との当接により、絶縁カバー９０の長手方向及び短手方向に沿った絶縁カバー９０の移動が規制されている。
【００６３】
図３又は図５に示すように、絶縁カバー９０は、第１絶縁部９１における側壁部９１ｂの長手方向両端部で、かつ短手方向の一端部に一体の連結部９４を備える。そして、長手方向一端の連結部９４に正極絶縁部９２が連結され、側壁部９１ｂの長手方向他端の連結部９４に負極絶縁部９３が連結されている。絶縁カバー９０において、連結部９４は、長手方向に沿う側面視で、第１絶縁部９１と、正極絶縁部９２及び負極絶縁部９３と、を離し、かつ対向させて連結する。
【００６４】
よって、長手方向に沿う側面視では、絶縁部本体９１ａと正極絶縁部９２とは対向方向Ｚに離間し、絶縁部本体９１ａと負極絶縁部９３とは対向方向Ｚに離間している。絶縁部本体９１ａは、電極組立体１２のタブ側端面１２ｂに対峙する面に内面９１ｄを備える。
【００６５】
また、正極絶縁部９２は、蓋部材１５の外面１５ｃから見た平面視が四角形状である。正極絶縁部９２の平面視サイズは、正極引出端子６０の基部６０ｂの平面視サイズより大きく、基部６０ｂの全体を電極組立体１２側から覆うことができる。正極絶縁部９２は、正極引出端子６０の基部６０ｂに対峙する内面９２ｂを備えるとともに、電極組立体１２に対峙する外面９２ｄを備える。正極絶縁部９２は、内面９２ｂのうち、絶縁部本体９１ａ寄りに突条部９２ｅを備え、突条部９２ｅは絶縁カバー９０の短手方向全体に亘って存在する。また、突条部９２ｅは、絶縁部本体９１ａよりも正極絶縁部９２寄りに位置し、対向方向Ｚにおいて絶縁部本体９１ａと突条部９２ｅは重なり合っておらず、長手方向に位置ずれしている。
【００６６】
ただし、長手方向に沿う側面視では、絶縁部本体９１ａと突条部９２ｅとは対向方向Ｚに対向した位置にある。よって、絶縁カバー９０は、側面視で対向した第１絶縁部９１と正極絶縁部９２の間に正極側隙間９５ａを備える。この正極側隙間９５ａは、絶縁カバー９０の短手方向の他端部に開口する。対向方向Ｚに沿う正極側隙間９５ａの寸法は、正極導電部材５１の電極接合部５１ａの厚みより大きく、正極側隙間９５ａには、正極の電極接合部５１ａが挿入されている。そして、電極接合部５１ａに絶縁カバー９０の絶縁部本体９１ａが支持されるとともに、電極接合部５１ａと蓋部材１５との間に絶縁部本体９１ａが挟まれている。
【００６７】
絶縁カバー９０の短手方向の他端部に係止爪９２ａが存在する。正極絶縁部９２の係止爪９２ａは、側面視で正極絶縁部９２から第１絶縁部９１に向けて突条部９２ｅから突出している。絶縁カバー９０の短手方向に沿う連結部９４と突条部９２ｅの対向面間の寸法は、短手方向に沿う電極接合部５１ａの寸法より長く、正極の内側絶縁部材４０の寸法より僅かに長い。そして、正極側隙間９５ａ内に電極接合部５１ａが入り込んだ状態では、絶縁カバー９０の短手方向に対向した内側絶縁部材４０の縁部の一方に連結部９４が当接するとともに、他方の縁部に係止爪９２ａが係止している。
【００６８】
負極絶縁部９３は、蓋部材１５の外面１５ｃから見た平面視が四角形状である。負極絶縁部９３の平面視サイズは、負極引出端子６１の基部６３及び電流遮断機構８０の平面視サイズとほぼ同じであり、電流遮断機構８０の全体を電極組立体１２側から覆うことができる。また、図５に示すように、負極絶縁部９３は、電流遮断機構８０の変形板８５に対峙する内面９３ｂを備えるとともに、電極組立体１２に対峙する外面９３ｄを備える。負極絶縁部９３は、内面９３ｂのうち、絶縁部本体９１ａ寄りに突条部９３ｅを備え、突条部９３ｅは絶縁カバー９０の短手方向全体に亘って存在する。対向方向Ｚにおいて絶縁部本体９１ａと突条部９３ｅは重なり合った位置にある。
【００６９】
よって、絶縁カバー９０は、側面視で対向した第１絶縁部９１と負極絶縁部９３の間に負極側隙間９５ｂを備える。すなわち、絶縁カバー９０は、対向方向Ｚにおいて絶縁部本体９１ａと突条部９３ｅとの間に負極側隙間９５ｂを備え、この負極側隙間９５ｂは、絶縁カバー９０の短手方向の他端部に開口する。対向方向Ｚに沿う負極側隙間９５ｂの寸法は、負極導電部材５２の電極接合部５２ａの厚みより大きく、負極側隙間９５ｂには、負極の電極接合部５２ａが挿入されている。そして、図４に示すように、電極接合部５２ａに絶縁カバー９０の絶縁部本体９１ａが支持されるとともに、対向方向Ｚに沿う電極接合部５２ａと蓋部材１５との間に絶縁部本体９１ａが挟まれている。
【００７０】
図６（ａ）に示すように、絶縁カバー９０の短手方向に沿う両端部のうち、負極側の突条部９３ｅの一端部に連結部９４が位置し、他端部に係止爪９３ａが存在する。負極絶縁部９３の係止爪９３ａは、側面視で負極絶縁部９３から第１絶縁部９１に向けて突条部９３ｅから突出している。絶縁カバー９０の短手方向に沿う連結部９４と突条部９３ｅの対向面間の寸法は、電極接合部５２ａの短手方向に沿う寸法より僅かに長い。そして、負極側隙間９５ｂ内に電極接合部５２ａが入り込んだ状態では、絶縁カバー９０の短手方向に対向した電極接合部５２ａの縁部の一方に連結部９４が当接するとともに、他方の縁部に係止爪９３ａが係止している。
【００７１】
また、負極絶縁部９３は、中央部に厚み方向に貫通した逃がし凹部９３ｆを備え、この逃がし凹部９３ｆには、電流遮断機構８０の変形板８５が入り込んでいる。そして、変形板８５の他方の面（電極組立体１２側の面）には、逃がし凹部９３ｆを介してケース１１の内部圧力が作用している。
【００７２】
次に、二次電池１０の製造方法を作用とともに記載する。
なお、負極の負極引出端子６１の端子端面６３ｂには接点板８１が接合され、接点板８１、絶縁リング８２、シールリング８３、及び負極導電部材５２（端子接続部５２ｂ）がユニット化されているものとする。また、負極導電部材５２の端子接続部５２ｂには変形板８５が接合されており、負極引出端子６１と電流遮断機構８０と負極導電部材５２が予め一体化されているとする。
【００７３】
まず、蓋部材１５の各係止凹部１８に外側絶縁部材５７の回り止め部５８を挿入した状態で蓋部材１５の外面１５ｃに外側絶縁部材５７を配置する。その外側絶縁部材５７の回り止め部５８内に外部接続端子６６の係合凸部６９を挿入する。次に、端子接続部材４４の貫通孔４６ａに外部接続端子６６の軸部６８を挿入する。
【００７４】
次に、正極側において、蓋部材１５の内面１５ｄ側にＯリング７３、内側絶縁部材４０を配置するとともに正極導電部材５１を配置する。そして、正極引出端子６０の接続用軸部６２を正極導電部材５１の挿通孔５１ｃ、内側絶縁部材４０の挿通孔４０ａ、Ｏリング７３、蓋部材１５の挿通孔１５ｅ、外側絶縁部材５７の挿通孔５７ｄ及び端子接続部材４４の挿通孔４７ａに挿入する。そして、正極引出端子６０の接続用軸部６０ａのかしめにより、基部６０ｂと接続用軸部６０ａの先端部との間に、正極導電部材５１、内側絶縁部材４０、Ｏリング７３、蓋部材１５、外側絶縁部材５７、及び端子接続部材４４が一体化される。
【００７５】
負極側において、蓋部材１５の内面１５ｄ側にＯリング７３、内側絶縁部材４０を配置し、内側絶縁部材４０の挿通孔４０ａ、Ｏリング７３、蓋部材１５の挿通孔１５ｅ、外側絶縁部材５７の挿通孔５７ｄ及び端子接続部材４４の挿通孔４７ａに、負極引出端子６１の接続用軸部６２を挿入する。そして、接続用軸部６２のかしめにより、基部６３と接続用軸部６２の先端部との間に、内側絶縁部材４０、Ｏリング７３、蓋部材１５、外側絶縁部材５７、及び端子接続部材４４が一体化されるとともに、電流遮断機構８０も一体化される。
【００７６】
すると、蓋部材１５に正極端子構造１６及び負極端子構造１７が形成され、蓋端子組立体２０が形成される。蓋端子組立体２０では、外側絶縁部材５７の回り止め部５８の外側面と、蓋部材１５の係止凹部１８の内側面との係止により、外側絶縁部材５７の蓋部材１５上での回転が規制される。この回転の規制された外側絶縁部材５７の回り止め部５８の内側面と外部接続端子６６の係合凸部６９の外側面との係止により、外部接続端子６６の回転が規制される。
【００７７】
蓋端子組立体２０では、蓋部材１５と、電極接合部５１ａ，５２ａとの間に隙間が存在している。また、電極接合部５１ａ，５２ａはＬ字状にあり、電極接合部５１ａ，５２ａは蓋部材１５から突出する部分が存在する。
【００７８】
そして、正極導電部材５１の電極接合部５１ａに対し、電極組立体１２の正極のタブ群３６がレーザ溶接によって接合され、負極導電部材５２の電極接合部５２ａに対し、負極のタブ群３６がレーザ溶接によって接合される。すると、図７に示すように、蓋端子組立体２０と電極組立体１２が一体化される。
【００７９】
次に、各電極接合部５１ａ，５２ａをコ字状に折り曲げ、タブ群３６を折り曲げる。そして、蓋部材１５と、電極接合部５１ａ，５２ａとの間に、絶縁カバー９０の絶縁部本体９１ａを差し込むとともに、正極側隙間９５ａに正極導電部材５１を、負極側隙間９５ｂに負極導電部材５２を差し込むように、絶縁カバー９０をスライド移動させる。
【００８０】
そして、正極側において、連結部９４が内側絶縁部材４０の一縁部に当接すると、正極絶縁部９２の係止爪９２ａが内側絶縁部材４０の縁部に係止する。また、負極側において、連結部９４が電極接合部５２ａの一長縁部に当接すると、負極絶縁部９３の係止爪９３ａが電極接合部５２ａの他長縁部に係止する。その結果、絶縁カバー９０が正極導電部材５１及び負極導電部材５２に一体に組付けられるとともに、電極接合部５１ａ，５２ａが絶縁部本体９１ａによって、蓋部材１５から絶縁された状態となる。
【００８１】
また、正極絶縁部９２が正極引出端子６０の基部６０ｂを電極組立体１２側から絶縁し、負極絶縁部９３が電流遮断機構８０を含む負極引出端子６１を電極組立体１２側から絶縁しつつ、変形板８５を保護した状態となる。
【００８２】
そして、電極組立体１２をケース部材１４の開口部１４ａからケース部材１４内に挿入する。このとき、電極組立体１２をケース部材１４内に押し込むため、蓋端子組立体２０をケース部材１４に向けて押し込む。すると、絶縁カバー９０の正極絶縁部９２の外面９２ｄ及び、負極絶縁部９３の外面９３ｄが電極組立体１２のタブ側端面１２ｂに同時に接触しながら、電極組立体１２が押圧される。
【００８３】
そして、電極組立体１２がケース部材１４内に挿入された後、蓋部材１５をケース部材１４の開口端に接合すると、二次電池１０が組み立てられる。
上記実施形態によれば、以下のような効果を得ることができる。
【００８４】
（１）絶縁カバー９０は、絶縁部本体９１ａと正極絶縁部９２の間に正極側隙間９５ａを備えるとともに、絶縁部本体９１ａと負極絶縁部９３の間に負極側隙間９５ｂを備える。このため、蓋端子組立体２０を形成し、電極接合部５１ａ，５２ａにタブ群３６を接合した後であっても、正極側隙間９５ａに正極導電部材５１を差し込み、負極側隙間９５ｂに負極導電部材５２を差し込んで、絶縁部本体９１ａを各電極接合部５１ａ，５２ａと蓋部材１５の間に介在させることができる。したがって、タブ群３６を電極接合部５１ａ，５２ａに接合する際の熱が絶縁カバー９０に及ばず、絶縁カバー９０が熱によって溶融せず、絶縁部本体９１ａによる絶縁機能が低下しない。
【００８５】
（２）絶縁カバー９０は、短手方向に対向する連結部９４と係止爪９２ａ，９３ａを備え、正極側の係止爪９２ａは内側絶縁部材４０に係止し、負極側の係止爪９３ａは電極接合部５２ａに係止する。この係止により、絶縁カバー９０が、その短手方向へ移動することを規制でき、絶縁カバー９０の第１絶縁部９１による電極接合部５１ａ，５２ａと蓋部材１５との絶縁、正極絶縁部９２による正極引出端子６０と電極組立体１２との絶縁、及び負極絶縁部９３による電流遮断機構８０と電極組立体１２との絶縁を維持することができる。
【００８６】
（３）負極端子構造１７は、電流遮断機構８０を備え、その電流遮断機構８０と接続された負極導電部材５２は、電流遮断機構８０との接合部となる端子接続部５２ｂが幅広となり、絶縁カバー９０の短手方向のほぼ全体に亘るサイズである。このため、負極絶縁部９３の係止爪９３ａは、端子接続部５２ｂよりも幅狭の電極接合部５２ａに係止している。よって、係止爪９３ａを係止させる部品を選定することで、蓋部材１５、ひいてはケース１１の大型化を防ぐことができる。
【００８７】
（４）正極端子構造１６は、電流遮断機構８０を備えないが、内側絶縁部材４０は、正極導電部材５１の端子接続部５１ｂよりも幅広であり、絶縁カバー９０の短手方向に沿って端子接続部５１ｂより突出している。そして、この端子接続部５１ｂより幅広な内側絶縁部材４０に係止爪９２ａを係止させる構成とした。このため、絶縁カバー９０を装着する際、係止爪９２ａは、端子接続部５１ｂより先に内側絶縁部材４０に係止し、絶縁カバー９０の装着がスムーズになる。
【００８８】
（５）絶縁カバー９０は、絶縁部本体９１ａの長手方向両端部に収容凹部９１ｆを備え、各収容凹部９１ｆには、蓋部材１５の突部１９が入り込んでいる。突部１９は、蓋部材１５上での外側絶縁部材５７の回転を規制するために、外側絶縁部材５７の回り止め部５８が入り込む部位である。よって、二次電池１０は、外側絶縁部材５７の回り止めを規制する突部１９を蓋部材１５に備えつつも、その突部１９が絶縁カバー９０の装着状態での邪魔になることがない。
【００８９】
なお、上記実施形態は以下のように変更してもよい。
○  絶縁カバー９０において、第１絶縁部９１の収容凹部９１ｆは無くてもよい。
○  絶縁カバー９０の短手方向に沿う、正極側の内側絶縁部材４０と端子接続部５１ｂの寸法が同じであれば、正極側の係止爪９２ａは、内側絶縁部材４０と端子接続部５１ｂの両方に係止してもよいし、端子接続部５１ｂに係止してもよい。
【００９０】
○  絶縁カバー９０の短手方向に沿う、正極側の内側絶縁部材４０の寸法より端子接続部５１ｂの寸法が大きければ、正極側の係止爪９２ａは、端子接続部５１ｂに係止してもよい。この場合、突条部９２ｅ及び係止爪９２ａは、対向方向Ｚにおいて絶縁部本体９１ａと対向する位置に設けられていてもよい。
【００９１】
○  係止爪９２ａ，９３ａは無くてもよい。
○  絶縁カバー９０において、電流遮断機構８０の変形板８５に接触しないように負極絶縁部９３を対向方向Ｚに沿って離間させれば、逃がし凹部９３ｆは無くてもよい。
【００９２】
○  電極端子は、正極引出端子６０や負極引出端子６１のように、外部接続端子６６と端子接続部材４４を介して接続されるものでなくてもよく、正極導電部材５１や負極導電部材５２に直接接続されたものでもよい。
【００９３】
○  蓄電装置は、正極引出端子６０と一体の電流遮断機構８０を有する二次電池にも適用することができる。
○  蓄電装置は、電流遮断機構８０を備えない二次電池にも適用することができる。この場合、第２絶縁部は両極性の電極端子の基部を電極組立体１２側から覆う。
【００９４】
○  壁部は蓋部材１５ではなく、ケース部材１４の側壁であってもよい。
○  電極端子は、正極引出端子６０や負極引出端子６１のように、外部接続端子６６と端子接続部材４４を介して接続されるものでなくてもよく、正極導電部材５１や負極導電部材５２に直接接続されたものでもよい。
【００９５】
○  蓄電装置は、例えばキャパシタなど、二次電池以外の蓄電装置にも適用可能である。
○  正極電極２１及び負極電極３１は、金属箔の片面に活物質層が存在する構造でもよい。
【００９６】
○  二次電池１０は、リチウムイオン二次電池でもよいし、他の二次電池であってもよい。要は、正極用の活物質と負極用の活物質との間をイオンが移動するとともに電荷の授受を行うものであればよい。
【００９７】
次に、上記実施形態及び別例から把握できる技術的思想について以下に追記する。
（１）異なる極性の電極が互いに絶縁されて積層された状態の電極組立体と、前記電極から突出した形状のタブが積層され、前記電極組立体のタブ側端面から突出した各極性のタブ群と、前記電極組立体及び前記タブ群を収容したケースと、前記ケースの壁部の外側に配置された外部接続端子と、前記タブ側端面と前記壁部との間に配置され、前記タブ群と電気的に接続された導電部材と、前記タブ群の並設方向において該タブ群よりも外側で前記導電部材に接続され、前記壁部から外部に突出した状態の引出端子と、前記壁部の外側に配置され、かつ前記引出端子と前記外部接続端子とを接続した端子接続部材と、前記壁部の外側で前記外部接続端子と前記壁部とを絶縁し、かつ前記壁部からの前記引出端子の突出方向に沿って該引出端子が貫通する外側絶縁部材と、一対の前記導電部材と前記壁部との間に介在する絶縁カバーと、を備える蓄電装置であって、前記外側絶縁部材は、前記外部接続端子の係合凸部が係止する回り止め部を前記壁部に向けて突出する状態に備えるとともに、前記壁部は前記回り止め部が係止する係止凹部を備えた突部を前記絶縁カバーに向けて突出する状態に備え、前記絶縁カバーは、前記突部を収容する収容凹部を備えることを特徴とする蓄電装置。
【００９８】
これによれば、突部は、壁部上での外側絶縁部材の回転を規制するために、外側絶縁部材の回り止め部が入り込む部位である。よって、蓄電装置は、外側絶縁部材の回り止めを規制する突部を壁部に備えつつも、その突部が絶縁カバーの装着状態での邪魔になることがない。
【符号の説明】
【００９９】
１０…蓄電装置としての二次電池、１１…ケース、１２…電極組立体、１２ｂ…タブ側端面、１５…壁部としての蓋部材、２１…正極電極、３１…負極電極、４０…内側絶縁部材、５１…正極導電部材、５１ａ，５２ａ…電極接合部、５１ｂ，５２ｂ…端子接続部、５２…負極導電部材、６０…電極端子としての正極引出端子、６０ｂ，６３…基部、６１…電極端子としての負極引出端子、８０…電流遮断機構、９０…絶縁カバー、９１…第１絶縁部、９２…第２絶縁部としての正極絶縁部、９２ａ，９３ａ…係止爪、９３…第２絶縁部としての負極絶縁部、９４…連結部、９５ａ…正極側隙間、９５ｂ…負極側隙間。
【図１】
0006597292.tif 000002
【図２】
0006597292.tif 000003
【図３】
0006597292.tif 000004
【図４】
0006597292.tif 000005
【図５】
0006597292.tif 000006
【図６】
0006597292.tif 000007
【図７】
0006597292.tif 000008
【図８】
0006597292.tif 000009
【図９】
0006597292.tif 000010